【事件の表示】
　特許第２８２１５９６号「ビデオカメラ装置」の特許に対する特許異議の申立てについて、次のとおり決定する。
【結論】
　訂正を認める。
　特許第２８２１５９６号の特許を維持する。
【理由】
［１］手続の経緯
　本件特許２８２１５９６号の発明は、昭和６３年５月２０日に特許出願され、平成１０年９月４日にその特許の設定登録がなされ、その後、オリンパス光学工業株式会社より特許異議の申立がなされ、取消理由通知がなされ、その指定期間内である平成１１年９月２０日に訂正請求がされた後、訂正拒絶理由が通知され、訂正拒絶理由に対して平成１１年１０月１５日付け手続補正書が提出されたものである。
［２］訂正の適否についての判断
［２−１］訂正請求に対する補正の適否について
　上記手続補正書による補正は、訂正請求書の要旨を変更するものでなく、特許法第１２０条の４第３項において準用する同法第１３１条第２項の規定に適合する。
［２−２］訂正明細書の発明
　訂正明細書の特許請求の範囲の請求項１に係る発明（以下「本件発明」という）は、その特許請求の範囲の請求項１に記載された次のとおりのものである。
　「電気的に書き込み、読み出し、消去が可能でかつ書き込んだ内容が、電源オフ時にバックアップ電源無しで保護されるＥＥＰＲＯＭと、
　指示によりホワイトバランスをとり、得られたホワイトバランスデータを上記ＥＥＰＲＯＭ側へ出力可能とするとともに、上記ＥＥＰＲＯＭ側から供給されるホワイトバランスデータに基づいた制御によりホワイトバランスをとるホワイトバランス制御手段と、
　使用時の指示により各種の光源に対応して上記ホワイトバランス制御手段から出力される複数のホワイトバランスデータを選択のためのスイッチ手段に対応させて上記ＥＥＰＲＯＭに書き込む書込手段と、
　使用時の指定に対応して上記スイッチ手段で選択して光源の種類に対応したホワイトバランスデータを上記ＥＥＰＲＯＭから読み出す読出手段と、
　上記読み出されたホワイトバランスデータを上記ホワイトバランス制御手段へ供給する供給手段と、
　を有することを特徴とするビデオカメラ装置。」
［２−３］訂正の目的の適否及び拡張・変更の存否
　特許権者が求めている訂正の内容は、特許明細書（特許公報第５欄第４行〜第８行）の記載に基づいて、特許請求の範囲の「メモリ」を「バックアップ電源無しで」保護される「ＥＥＰＲＯＭ」に限定し、また特許明細書（特許公報第３欄第１行〜第９行目、第５欄第２７行〜第４１行、第２，３図）の記載に基づいて、特許請求の範囲の「ホワイトバランス制御手段」の構成を「指示によりホワイトバランスをとり、得られたホワイトバランスデータを上記ＥＥＰＲＯＭ側へ出力可能とするとともに、上記ＥＥＰＲＯＭ側から供給されるホワイトバランスデータに基づいた制御によりホワイトバランスをとる」とし、「書込手段」の構成を「使用時の指示により」とし、「書込手段」においては「ホワイトバランスデータ」が「上記ホワイトバランス制御手段から出力される」と限定するとともに、これらに対応する詳細な説明の項の記載を訂正するものであるので、特許請求の範囲の減縮または明瞭でない記載の釈明に該当するものであって、新規事項の追加に該当せず、実質的に特許請求の範囲を拡張又は変更するものではない。
［２−４］独立特許要件の判断
（引用刊行物）
　本件発明に対して、当審が通知した取消理由で引用した刊行物（特開昭５７−１５５８８８号公報；甲第１号証）には、「複合カラー映像信号をカラー撮像装置から得るためのホワイトバランス調整用のオートホワイトバランス回路」（公報第１頁左下欄第１７行〜第１９行）に関して、
　「色温度補正フィルタを介して撮像する場合の撮像出力についてのホワイトバランス調整データを記憶する複数の記憶場所を有する記憶回路を備え、少なくとも１つの色温度補正フィルタに対する複数の異なる色温度の撮像条件下における各ホワイトバランス調整データを予じめ上記各記憶場所に記憶し、撮像時にホワイトバランス調整データを記憶回路から選択的に読出して、撮像出力のホワイトバランスをとるようにしたことを特徴とするオートホワイトバランス回路。」（公報第１頁左下欄第５行〜第１４行）が記載され、具体的には、
　「上記各レベルコンパレータ８，９は、ホワイトバランス調整時に、標準白色の画像について・・・各信号レベルを比較して、それぞれレベル差に応じた極性の各比較出力を出力する。第１のレベルコンパレータ８の比較出力は演算制御信号としての第１の可逆カウンタ１０に供給される。・・・上記各可逆カウンタ１０、１１は、・・・上記演算制御信号に従ってそれぞれ加算動作あるいは減算動作を行う。第１の可逆カウンタ１０からの計数出力データは、書込みデータとして第１の記憶回路１３に供給される。また、第２の可逆カウンタ１４からの計数出力データは、書込みデータとして第２の記憶回路１４に供給される。各記憶回路１３，１４はそれぞれ複数の記憶番地を有するもので、例えばランダムアクセスメモリ（ＲＡＭ）にて形成される。そして、上記各記憶回路１３、１４からの読出しデータは、それぞれデジタル・アナログ変換器１５、１６を介してアナログ信号に変換され、それぞれ利得制御信号として上記赤原色信号ＥＲ用の増幅器６Ｒと青原色信号ＥＢ用の増幅器６Ｂとに供給される。そして、赤原色信号ＥＲ用の増幅器６Ｒは、ホワイトバランス調整時に、上記第１のレベルコンパレータ８からの比較出力に基づいて、ＥＲ＝ＥＧとなるように利得制御される。・・・すなわち、上記各増幅器６Ｒ、６Ｂの利得を制御することによって、ＥＲ＝ＥＧ＝ＥＢとなるようにホワイトバランス調整を行う。」（第２頁左下欄第５行〜右下欄第１９行）、
　「ここで、この実施例において上記各記憶回路１３、１４は、それぞれ８個の記憶場所を有するＲＡＭにて形成されており、８種類の撮像条件におけるホワイトバランス調整に必要な各データを記憶できるようになっている。さらに、上記各記憶回路１３，１４の記憶場所は、上述の光学系４の色温度補正フィルタ２の種類に応じた第１のアドレス信号を第１のアドレス発生器１９から得るとともに、撮像場面切換スイッチ２０により指定される第２のアドレス信号を第２のアドレス発生器２１から得て、各アドレス信号によって指定されるようになっている。すなわち、この実施例では、同一の色温度補正フィルタ２により補正可能な色温度範囲内で２箇所の場所を撮る場合に、予じめ各ホワイトバランス調整に必要なデータを各記憶回路１３、１４に記憶しておくことができるので、実際の撮像時には、場面切換スイッチ２０の操作のみで瞬時にホワイトバランスをとって適正な状態で撮像を継続することができる。」（公報第２頁右下欄第２０行〜第３頁左上欄第１８行）と記載されている。
（対比・判断）
　本件発明と上記刊行物に記載された発明とを対比すると、上記刊行物に記載された発明の「記憶回路」「ホワイトバランス調整データ」「場面切換スイッチ」「カラー撮像装置」は、それぞれ本件発明の「ＥＥＰＲＯＭ」「ホワイトバランスデータ」「スイッチ手段」「ビデオカメラ装置」に相当しており、両者は、「電気的に書き込み、読み出し、消去が可能でかつ書き込んだ内容が、電源オフ時に保護される記憶手段と、調整時ホワイトバランスをとってホワイトバランスデータを得、使用時にホワイトバランスデータに基づいた制御によりホワイトバランスをとるホワイトバランス制御手段とを備え、各種光源に対応してホワイトバランスデータを記憶手段に書き込み、使用時の指定に対応してスイッチ手段で選択して各種の光源に対応したホワイトバランスデータを記憶手段から読み出すホワイトバランス機能を有するビデオカメラ装置」であるという基本的な技術思想において共通している。
　しかしながら、本件発明は、記憶手段として「ＥＥＰＲＯＭ」を用い、ホワイトバランス制御手段は、「ホワイトバランスをとり、得られたホワイトバランスデータをＥＥＰＲＯＭ側へ出力可能とする」とともに、使用時にはホワイトバランスをとるためのホワイトバランスデータを「ＥＥＰＲＯＭ側から供給される」ものであり、使用時の指示によりホワイトバランス制御手段から出力されるホワイトバランスデータをＥＥＰＲＯＭに書き込む書込手段と、使用時の指定に対応してホワイトバランスデータを上記ＥＥＰＲＯＭから読み出す読出手段と、読み出されたホワイトバランスデータをホワイトバランス制御手段へ供給する供給手段とを有する、という具体的構成（以下、「構成［Ａ］」という）を必須の構成要件とするのに対して、刊行物には、上記構成［Ａ］が記載されていない。
　本件発明において、ＥＥＰＲＯＭとホワイトバランス制御手段との関係は、ホワイトバランス制御手段で得たホワイトバランスデータをＥＥＰＲＯＭに出力して書き込み、使用時にＥＥＰＲＯＭに記憶されているホワイトバランスデータを読み出し、ホワイトバランス制御手段に供給する関係にあるものである。これに対し、刊行物に記載された発明においては、記憶手段であるＲＡＭは、ホワイトバランス制御手段の一部を構成するものであり、当該制御手段中に構成の要素として存在するＲＡＭを、バックアップ電源無しで記憶内容が保護される周知のＥＥＰＲＯＭに置き換えることは、そのメモリの性格上、当業者は通常行わないものであり、また置き換えたとしても、本件発明の構成［Ａ］を得ることはできず、構成［Ａ］を想到することは当業者にとって容易ではない。
　そして、上記構成［Ａ］により、本件発明は、「各種の光源のもとでの使用時においてホワイトバランスがとれた時点でのホワイトバランスデータを、記憶内容が電源オフ時にバックアップ電源無しで保護されるＥＥＰＲＯＭに、選択して読み出し可能に書き込んで、電源オフ時のデータ保持に利用するので長期に保持することができる」という明細書に記載の効果を奏するものである。
　よって、本件発明が刊行物に記載された発明であるとも、刊行物記載のものから容易に発明をすることができたものともいえない。
　したがって、本件発明は特許出願の際独立して特許を受けることができない発明とすることはできない。
［２−５］以上のとおりであるから、上記訂正請求は、特許法第１２０条の４第２項及び第３項で準用する特許法第１２６条第２項ないし第４項、及び特許法等の一部を改正する法律（平成６年法律第１１６号）附則第６条第１項の規定に適合するので、当該訂正を認める。
［３］特許異議の申立についての判断
［３−１］申立の理由の概要
　申立人オリンパス光学工業株式会社は、本件発明の特許に対して、甲第１号証（上記刊行物）を提出し、本件発明についての特許は、特許法第２９条第１項第３号または第２項の規定に違反してなされたものであり、特許を取り消すべきものと主張している。
［３−２］判断
　本件発明は、上記［２−４］で判断したように、甲第１号証に記載された発明と同一ではなく、該発明に基づいて容易に発明をすることができたものでもない。
［４］むすび
　以上のとおりであるから、特許異議申立の理由及び証拠によっては、本件発明の特許を取り消すことはできない。
　また、他に本件特許を取り消すべき理由を発見しない。
　よって、結論のとおり決定する。
【異議決定日】
平成１１年１０月２９日（１９９９．１０．２９）
【訂正の要旨】
訂正の要旨
　１）本件の請求項１の記載を、特許請求の範囲の減縮を目的として、「電気的に書き込み，読み出し，消去が可能でかつ書き込んだ内容が、電源オフ時にバックアップ電源無しで保護されるＥＥＰＲＯＭと、
　指示によりホワイトバランスをとり、得られたホワイトバランスデータを上記ＥＥＰＲＯＭ側へ出力可能とするとともに、上記ＥＥＰＲＯＭ側から供給されるホワイトバランスデータに基づいた制御によりホワイトバランスをとるホワイトバランス制御手段と、
　使用時の指示により各種の光源に対応して上記ホワイトバランス制御手段から出力される複数のホワイトバランスデータを選択のためのスイッチ手段に対応させて上記ＥＥＰＲＯＭに書き込む書込手段と、
　使用時の指定に対応して上記スイッチ手段で選択して光源の種類に対応したホワイトバランスデータを上記ＥＥＰＲＯＭから読み出す読出手段と、
　上記読み出されたホワイトバランスデータを上記ホワイトバランス制御手段へ供給する供給手段と、
　を有することを特徴とするビデオカメラ装置。」と訂正する。
　２）公報第２欄第７行〜第１２行を、「使用時において各種の光源のもとでホワイトバランスのとれた時点のホワイトバランスデータを記憶内容がバックアップ電源無しで保護されるメモリ（ＥＥＰＲＯＭ）に、選択して読み出し可能に書き込んで、これを電源オフ時にも長期に保持し、電源オン時など必要なときに使用時の光源の種類に応じて指定により選択して読み出してホワイトバランスの設定を行うことにより、」と訂正する。
　３）公報第４欄第２７行〜第３９行を、「電気的に書き込み，読み出し，消去が可能でかつ書き込んだ内容が、電源オフ時にバックアップ電源無しで保護されるＥＥＰＲＯＭと、
　指示によりホワイトバランスをとり、得られたホワイトバランスデータを上記ＥＥＰＲＯＭ側へ出力可能とするとともに、上記ＥＥＰＲＯＭ側から供給されるホワイトバランスデータに基づいた制御によりホワイトバランスをとるホワイトバランス制御手段と、
　使用時の指示により各種の光源に対応して上記ホワイトバランス制御手段から出力される複数のホワイトバランスデータを選択のためのスイッチ手段に対応させて上記ＥＥＰＲＯＭに書き込む書込手段と、
　使用時の指定に対応して上記スイッチ手段で選択して光源の種類に対応したホワイトバランスデータを上記ＥＥＰＲＯＭから読み出す読出手段と、
　上記読み出されたホワイトバランスデータを上記ホワイトバランス制御手段へ供給する供給手段と、を有することを特徴とする。」と訂正する。
　４）公報第４欄第４１行〜第４６行を、「本発明は、電源オフ時に記憶内容がバックアップ電源無しで保護されるＥＥＰＲＯＭに、使用時に調整した各種の光源のもとでのホワイトバランスデータを選択して読み出し可能に格納し、次回の使用時にはこのデータを指定により選択して読み出してホワイトバランス制御手段に設定可能にするとともに、このＥＥＰＲＯＭによってホワイトバランスデータの電源オフ時における長期の保持を可能にし、」と訂正する。
　５）公報第５欄第４１行〜第４４行を、「本参考例は、ホワイトバランスデータをＥＥＰＲＯＭ１０に格納することによって、電源オフ時のデータの保持時間（バックアップ時間）をバックアップ電源無しで数年から数十年に延ばし、」と訂正する。
　６）公報第６欄第３２行〜第３５行を、「なお、本発明は上記実施例に限定されることなく、その主旨に沿って種々に応用され、種々の実施態様を取り得るものである。」と訂正する。
　７）公報第６欄第３８行〜第４３行を、「以上の説明で明らかなように、本発明のビデオカメラ装置によれば、各種の光源のもとでの使用時においてホワイトバランスがとれた時点でのホワイトバランスデータを、記憶内容が電源オフ時にバックアップ電源無しで保護されるＥＥＰＲＯＭに、選択して読み出し可能に書き込んで、電源オフ時のデータ保持に利用するので、長期に保持することができるとともに、」と訂正する。
（５４）【発明の名称】
ビデオカメラ装置
（５７）【特許請求の範囲】
　（１）
電気的に書き込み，読み出し，消去が可能でかつ書き込んだ内容が、電源オフ時にバックアップ電源無しで保護されるＥＥＰＲＯＭと、
　
指示によりホワイトバランスをとり、得られたホワイトバランスデータを上記ＥＥＰＲＯＭ側へ出力可能とするとともに、上記ＥＥＰＲＯＭ側から供給される
に基づいた
、
　使用時の指示により
上記ホワイトバランス制御手段から出力
ＥＥＰＲＯＭ
　使用時の指定に対応して上記スイッチ手段で選択して光源の種類に対応したホワイトバランスデータを上記
ＥＥＰＲＯＭ
　上記読み出されたホワイトバランスデータを上記ホワイトバランス制御手段へ供給する供給手段と、
　を有することを特徴とするビデオカメラ装置。
【発明の詳細な説明】
　［産業上の利用分野］
　本発明は、ホワイトバランス設定を容易にしたビデオカメラ装置に関するものである。
　［発明の概要］
　本発明は、使用時にホワイトバランスを設定するビデオカメラ装置において、
　
使用時において
の
バックアップ電源無しで
（ＥＥＰＲＯＭ）
　一度ホワイトバランスを調整すれば、その後は再調整する必要性がないようにしたものである。
　［従来の技術］
　従来より、ビデオカメラ装置においては、使用時にホワイトバランスをとることが行われる。これは、白い被写体を撮影することにより、ＲＧＢ信号の各出力電圧が等しくなるようにして色バランスの調整を行うものである。ホワイトバランスは、ホワイトバランス制御回路によって電子的に自動的に行われる。従って、使用しない場合など、ビデオカメラ装置の電源がオフにされると、次の使用時には再度ホワイトバランスをとることをしなければならない。
　この不便さを解消しようとしたものが、第３図のブロック図で示すビデオカメラ装置のホワイトバランスシステムの従来例である。第３図はＲＧＢ信号のうちＲ信号の色バランスをとりそのデータを記憶する回路を示しているが、実際には同様に構成したＢ信号の色バランスをとりそのデータを記憶するもう一系統の回路がある。１はＲ信号の減衰度をホワイトバランス制御回路２の出力によって変化させる電子アッテネータ、３は電子アッテネータ１により減衰されたＲ信号と輝度Ｙ信号とにより色差信号Ｒ−Ｙを作成する色差回路である。色差信号Ｒ−Ｙは、図示しないエンコーダへ出力されるとともに、ホワイトバランス制御回路２ヘループさせるためにレベルクランプ回路４へ入力される。レベルクランプ回路４は、色差信号を直流レベルに固定してＲ信号の黒レベルを固定する。５は、レベルクランプ回路４の黒レベルをＧ信号のレベルに相当する基準電圧Ｖｆで比較し、ＲＧＢ信号のＲ信号がＧ信号のレベルより大きいか，小さいかまたは等しいかをホワイトバランス制御回路２へ送出するコンパレータである。ホワイトバランス制御回路２は、カウント値を変化させて最終的にホワイトバランスデータを記憶するカウンタ２ａと、カウンタ２ａの内容（カウント値）をＤ−Ａ変換したアナログ信号を電子アッテネータ１へ出力するＤ−Ａコンバータ２ｂとから成る。カウンタ２ａは、コンパレータ５の出力でクロック入力によるカウントアップまたはカウントダウンを行うことによってその内容を変化させ、コンパレータ５の入力が比較電圧Ｖｆと等しくなってその出力が“０”となったときカウント動作を止め、その内容をホワイトバランスデータとして保持する。６はカウンタの内容（ホワイトバランスデータ）を電源オフ後も保持するためのバックアップコンデンサ、７はホワイトバランスデータに相当する電位でバックアップコンデンサ６にチャージさせるとともに使用時にはその電位をＡ−Ｄ変換してカウンタに設定するバックアップ制御回路である。
　以上の構成により、従来は、まずＲＧＢ信号のＲ信号とＢ信号をそれぞれのコンパレータ５によってＧ信号に相当するレベルと比較し、大であればカウンタ２ａをカウントアップして電子アッテネータ１の減衰量を増加させ、小であれば逆にカウンタ２ａをカウントダウンして電子アッテネータ１の減衰量を減少させて、Ｇ信号と同一レベルになるようにコントロールする。続いて、カウンタ２ａに記憶したホワイトバランスデータをバックアップコンデンサ６に保持させ、電源オフ後も保持できるようにし、使用時にはバックアップコンデンサ６のチャージ量を基にカウンタ２ａにホワイトバランスデータを設定する。
　［発明が解決しようとする課題］
　しかしながら、上記従来の技術におけるビデオカメラ装置のホワイトバランスシステムでは、電源オフ時のホワイトバランスデータの保持にコンデンサのチャージを利用しているために、その保持時間はせいぜい数時間であって長期に保持できないという問題点があった。このため、従来のビデオカメラ装置は、その保持時間を越えて電源をオフした後は、再びホワイトバランスの調整を行わなければならないという不便さがあった。また、保持できるのは１つのホワイトバランスデータであるため、それが例えば屋内でのデータであれば、次回に屋外のように屋内以外で撮影する場合には保持したホワイトバランスデータは使用できず、再調整しなければならないという不便さがあった。
　本発明は、上記問題点を解決するために創案されたもので、一度ホワイトバランスを調整すれば、その後は再調整する必要性がないようにしたビデオカメラ装置を提供することを目的とする。
　［課題を解決するための手段］
　上記の目的を達成するための本発明のビデオカメラ装置の構成は、
　
電気的に書き込み，読み出し，消去が可能でかつ書き込んだ内容が、電源オフ時にバックアップ電源無しで保護されるＥＥＰＲＯＭと、
　
指示によりホワイトバランスをとり、得られたホワイトバランスデータを上記ＥＥＰＲＯＭ側へ出力可能とするとともに、上記ＥＥＰＲＯＭ側から供給される
に基づいた
、
　
使用時の指示により
上記ホワイトバランス制御手段から出力
ＥＥＰＲＯＭ
　使用時の指定に対応して上記スイッチ手段で選択して光源の種類に対応したホワイトバランスデータを上記
ＥＥＰＲＯＭ
　上記読み出されたホワイトバランスデータを上記ホワイトバランス制御手段へ供給する供給手段と、を有することを特徴とする。
　［作用］
　本発明は、電源オフ時に記憶内容が
バックアップ電源無しで
ＥＥＰＲＯＭ
使用時に調整した
データ
次回の
ＥＥＰＲＯＭ
　［実施例］
　以下、本発明の実施例を図面に基づいて詳細に説明する。
　第１図は本発明のビデオカメラ装置のホワイトバランスシステムの基本を説明する参考例を示すブロック図である。本参考例では第３図の従来例におけるバックアップコンデンサ６とバックアップ制御回路７に代えて、ＥＥＰＲＯＭ（電気的消去型プログラブルリードオンリメモリ）１０とそのＥＥＰＲＯＭの制御回路１１とで置き換えたものである。従って本参考例では、従来例と同一の符号を付してホワイトバランスシステムの一部のみを図示している。第１図のホワイトバランス制御回路２の構成は従来例と同一の構成であり、同一の機能を持つ。即ち、ホワイトバランス制御回路２は、色バランスを変化させて最終的にホワイトバランスデータを記憶するカウンタ２ａと、カウンタ２ａのカウント値をＤ−Ａ（テジタル−アナログ）変換してアッテネータ制御電圧を図略の電子アッテネータへ出力するＤ−Ａコンバータ２ｂとから成る。前述したように、カウンタ２ａは、図略のコンパレータの出力でクロック入力によるカウントアップまたはカウントダウンを行うことによってそのカウント値を変化させ、コンパレータの比較入力同志が等しくなったことを示す出力（“０”）によってカウント動作を停止し、その時点のカウント値をホワイトバランスデータとして記憶する。本参考例は１系統の回路を示すものであり、ＲＧＢ信号の１つ，例えばＲ信号をＧ信号のレベルと等しくする。従って、実際にはＢ信号をＧ信号のレベルに等しくするために、同様に構成したもう１系統の回路を備える。ＥＥＰＲＯＭ制御回路１１は、ホワイトバランスのとれた時点、即ち上記においてＲ信号，Ｂ信号が共にＧ信号に等しく調整された時点で、２系統のカウンタ２ａのカウント値、即ちホワイトバランスデータをＥＥＰＲＯＭ１０へ書き込むとともに、電源オン時にはＥＥＰＲＯＭ１０からホワイトバランスデータの読み出しを行うことにより、電源がオフされる前にとったホワイトバランスデータをカウンタ２ａに設定する機能を有する。
　以上のように構成した参考例の作用を述べる。本参考例のホワイトバランスシステムの動作は、電子アッテネータ制御電圧を指示するカウンタ２ａのホワイトバランスデータがＥＥＰＲＯＭ１０へ格納されて電源オフ時に保持され、電源オン時にそのホワイトバランスデータが読み出されてカウンタ２ａに設定されることを除いて、第３図の従来例で述べた動作と同様である。本参考例は、ホワイトバランスデータをＥＥＰＲＯＭ１０に格納することによって、電源オフ時のデータの保持時間（バックアップ時間）を
バックアップ電源無しで
　第２図は本発明の一実施例を示す要部のブロック図である。ホワイトバランスは白い被写体を撮影することにより行うものであるが、光源によってホワイトバランスデータは異なってくる。本実施例は、複数のホワイトバランスデータの保持を可能にし、使用時の被写体に対する光源の種類に応じてホワイトバランスデータを設定することを可能にしたものである。本実施例の構成は、第１図の参考例を基本として、ＥＥＰＲＯＭ１０は複数のホワイトバランスデータを格納できる容量を有し、ＥＥＰＲＯＭ制御部１１′は、データ指定スイッチＳ１，Ｓ２，Ｓ３を有して、その指定により、ホワイトバランスデータの格納時には指定に対応するＥＥＰＲＯＭ１０のアドレスに書き込みを行い、ホワイトバランスデータの読み出し時には指定に対応するＥＥＰＲＯＭ１０のアドレスからホワイトバランスデータの読み出しを行う機能を有する構成とする。
　以上の構成によって、例えば通常の屋内撮影時のホワイトバランスデータはデータ指定スイッチＳ１でＥＥＰＲＯＭ１０に格納し、特殊光源を用いたスタジオでの撮影時のホワイトバランスデータはデータ指定スイッチＳ２で、屋外での撮影時のホワイトバランスデータはデータスイッチＳ３でそれぞれＥＥＰＲＯＭ１０の対応アドレスに格納しておく。これらのホワイトバランスデータは、使用時にデータ指定スイッチＳ１〜Ｓ３の指定に対応して読み出され、カウンタ２ａに設定され、指定のホワイトバランスが第１図の参考例と同様に再現される。データ指定スイッチＳ１〜Ｓ３はいずれか一つを指定する切り換え式とし、電源オン時にはその時の切り換え状態によりＥＥＰＲＯＭ１０からカウンタ２ａにホワイトバランスデータの設定を行い、電源オン中には切り換えの変化を検出してその再設定を行うように構成しても良い。本実施例では、複数のホワイトバランスデータが電源オフ時に保持されるとともに、さらには電源オン中も使用されていないホワイトバランスデータが保持される。
　なお
、
上記実施例に限定されることなく、
　［発明の効果］
　以上の説明で明らかなように、本発明のビデオカメラ装置によれば、各種の光源のもと
での使用時において
バックアップ電源無しで保護されるＥＥＰＲＯＭ
【図面の簡単な説明】
　第１図は本発明の基本を説明する参考例のブロック図、第２図は本発明の一実施例を示す要部のブロック図、第３図は従来例のビデオカメラ装置のホワイトバランスシステムのブロック図である。
　２…ホワイトバランス制御回路、１０…ＥＥＰＲＯＭ、１１…ＥＥＰＲＯＭ制御回路。